(57)【特許請求の範囲】
【請求項１】
家屋の屋内に設置されて騒音を検知する１台以上の屋内騒音センサ、前記家屋の屋外に設置されて騒音を検知する１台以上の屋外騒音センサ、および前記家屋の開口部を電動で閉蓋する１台以上の家屋開口電動閉蓋装置、に接続する制御装置であって、
前記屋内騒音センサから、検知した騒音の特徴および騒音レベルを含む屋内騒音情報を取得する屋内騒音取得部と、
前記屋外騒音センサから、検知した騒音の特徴および騒音レベルを含む屋外騒音情報を取得する屋外騒音取得部と、
前記屋内騒音情報に含まれる騒音レベルが第１の閾値以上であると判定し、前記屋内騒音情報と前記屋外騒音情報とを比較して、前記屋内騒音センサおよび前記屋外騒音センサが検知した騒音の特徴が一致し、かつ前記屋内騒音センサが検知した騒音よりも前記屋外騒音センサが検知した騒音のほうが大きいと判定した場合に、屋内で検知された前記第１の閾値以上の騒音が屋外から伝播したものであると判定する騒音判定部と、
前記騒音判定部が、屋内で検知された前記第１の閾値以上の騒音が屋外から伝播したものであると判定した場合に、前記家屋開口電動閉蓋装置を閉状態にさせる閉制御信号を生成し、前記閉制御信号を前記家屋開口電動閉蓋装置に送信する閉制御部と、
を備える制御装置。
【請求項２】
前記家屋開口電動閉蓋装置の開閉状態を示す開閉情報を取得する開閉検知部をさらに備え、
前記閉制御部は、前記騒音判定部が、屋内で検知された前記第１の閾値以上の騒音が屋外から伝播したものであると判定すると、前記開閉情報に基づいて開状態の前記家屋開口電動閉蓋装置があるか否かを判定し、開状態の前記家屋開口電動閉蓋装置がある場合に、前記閉制御信号を生成し、開状態の前記家屋開口電動閉蓋装置に前記閉制御信号を送信する請求項１に記載の制御装置。
【請求項３】
少なくとも前記屋内騒音センサと前記家屋開口電動閉蓋装置との対応を示す機器情報を記憶する機器情報記憶部をさらに備え、
前記閉制御部は、前記機器情報を参照し、前記第１の閾値を超える騒音レベルを含む前記屋内騒音情報の送信元の前記屋内騒音センサに対応する前記家屋開口電動閉蓋装置に前記閉制御信号を送信する請求項１または２に記載の制御装置。
【請求項４】
前記家屋の屋内に設置された電気機器を制御する機器制御部をさらに備え、
前記機器制御部は、前記閉制御部が前記閉制御信号を前記家屋開口電動閉蓋装置に送信するとき、前記電気機器を制御する機器制御信号を生成し、前記機器制御信号を前記電気機器に送信する請求項１から３のいずれか１項に記載の制御装置。
【請求項５】
前記閉制御部が前記家屋開口電動閉蓋装置に前記閉制御信号を送信後、少なくとも前記屋外騒音情報に含まれる騒音レベルが第２の閾値未満になったとき、前記家屋開口電動閉蓋装置を開状態にさせる開制御信号を生成し、前記閉制御信号を送信した前記家屋開口電動閉蓋装置に前記開制御信号を送信する開制御部をさらに備える請求項１から４のいずれか１項に記載の制御装置。
【請求項６】
前記騒音判定部は、前記屋内騒音情報および前記屋外騒音情報の少なくともいずれかに含まれる騒音の特徴を解析し、特定の種類の騒音が存在するか否かを判定し、
前記閉制御部は、前記騒音判定部が前記特定の種類の騒音が存在すると判定すると、前記屋内騒音情報に含まれる騒音レベルが前記第１の閾値以上であるか否かに関わらず前記家屋開口電動閉蓋装置に前記閉制御信号を送信する請求項１から４のいずれか１項に記載の制御装置。
【請求項７】
前記閉制御部が前記家屋開口電動閉蓋装置に前記閉制御信号を送信後、前記騒音判定部が前記特定の種類の騒音が存在しないと判定すると、前記家屋開口電動閉蓋装置を開状態にさせる開制御信号を生成し、前記閉制御信号を送信した前記家屋開口電動閉蓋装置に前記開制御信号を送信する開制御部をさらに備える請求項６に記載の制御装置。
【請求項８】
前記家屋の屋内に設置された電気機器の状態を示す状態情報を取得する状態情報取得部をさらに備え、
前記開制御部は、前記状態情報に基づいて前記電気機器が特定の状態であるか否かを判定し、前記特定の状態でないと判定した場合は、前記開制御信号の生成および前記開制御信号の送信を行わない請求項５または７に記載の制御装置。
【請求項９】
請求項１から８のいずれか１項に記載の制御装置と、
前記家屋の屋内に設置されて騒音を検知し、検知した騒音の特徴および騒音レベルを含む前記屋内騒音情報を生成する１台以上の屋内騒音センサと、
前記家屋の屋外に設置されて騒音を検知し、検知した騒音の特徴および騒音レベルを含む前記屋外騒音情報を生成する１台以上の屋外騒音センサと、
前記制御装置から受信した前記閉制御信号に従って、前記家屋の開口部を電動で閉蓋する１台以上の家屋開口電動閉蓋装置と、
を備える制御システム。
【請求項１０】
コンピュータを、
家屋の屋内に設置されて騒音を検知する１台以上の屋内騒音センサが検知した騒音の特徴および騒音レベルを含む屋内騒音情報を取得する屋内騒音取得部、
前記家屋の屋外に設置されて騒音を検知する１台以上の屋外騒音センサが検知した騒音の特徴および騒音レベルを含む屋外騒音情報を取得する屋外騒音取得部、
前記屋内騒音情報に含まれる騒音レベルが第１の閾値以上であると判定し、前記屋内騒音情報と前記屋外騒音情報とを比較して、前記屋内騒音センサおよび前記屋外騒音センサが検知した騒音の特徴が一致し、かつ前記屋内騒音センサが検知した騒音よりも前記屋外騒音センサが検知した騒音のほうが大きいと判定した場合に、屋内で検知された前記第１の閾値以上の騒音が屋外から伝播したものであると判定する騒音判定部、および、
前記騒音判定部が、屋内で検知された前記第１の閾値以上の騒音が屋外から伝播したものであると判定した場合に、前記家屋の開口部を電動で閉蓋する１台以上の家屋開口電動閉蓋装置を閉状態にさせる閉制御信号を生成し、前記閉制御信号を前記家屋開口電動閉蓋装置に送信する閉制御部、
として機能させるプログラム。
【発明の詳細な説明】
【技術分野】
【０００１】
本発明は、家屋の開口部を電動で閉蓋する家屋開口電動閉蓋装置を制御する制御装置、制御システムおよびプログラムに関する。
【背景技術】
【０００２】
家屋における騒音対策として、旧来からの例では壁や扉へ吸音材や防音シートを貼り付ける方法がある。最近では、室外に騒音センサを設け、室外の騒音値が閾値以上である場合に部屋の開口部を自動的に閉鎖することで室内の騒音レベルを低減させるシステムが提案されている。
【０００３】
特許文献１には、屋内音センサが騒音を検出したときに、屋外音センサが検出した騒音の騒音量が騒音判定値より大きい場合に、サッシ戸装置による窓部の閉鎖や、ドア装置による出入口の閉鎖を行う騒音低減化システムが開示されている。
【先行技術文献】
【特許文献】
【０００４】
【特許文献１】特開２０１１−１６３０３７号公報
【発明の概要】
【発明が解決しようとする課題】
【０００５】
しかしながら、特許文献１に提案されている騒音低減化システムでは、屋内音センサが検出した騒音と屋外音センサが検出した騒音とが同じ音源であるか否かを判断していないため、屋内で検知された騒音が屋外から伝播したものかどうか分からないという問題がある。したがって、窓部や出入り口を閉鎖しても意味が無い場合がある。
【０００６】
本発明は、上述のような事情に鑑みてなされたもので、屋内で検知された閾値以上の騒音が屋外から伝播したものか否かを判定可能にし、より効果的に屋内の騒音レベルを低減させることを目的とする。
【課題を解決するための手段】
【０００７】
上記目的を達成するため、本発明に係る制御装置は、家屋の屋内に設置されて騒音を検知する１台以上の屋内騒音センサ、家屋の屋外に設置されて騒音を検知する１台以上の屋外騒音センサ、および家屋の開口部を電動で閉蓋する１台以上の家屋開口電動閉蓋装置、に接続する。制御装置は、屋内騒音取得部と、屋外騒音取得部と、騒音判定部と、閉制御部とを備える。屋内騒音取得部は、屋内騒音センサから、検知した騒音の特徴および騒音レベルを含む屋内騒音情報を取得する。屋外騒音取得部は、屋外騒音センサから、検知した騒音の特徴および騒音レベルを含む屋外騒音情報を取得する。騒音判定部は、屋内騒音情報に含まれる騒音レベルが第１の閾値以上であると判定し、屋内騒音情報と屋外騒音情報とを比較して、屋内騒音センサおよび屋外騒音センサが検知した騒音の特徴が一致し、かつ屋内騒音センサが検知した騒音よりも屋外騒音センサが検知した騒音のほうが大きいと判定した場合に、屋内で検知された第１の閾値以上の騒音が屋外から伝播したものであると判定する。閉制御部は、騒音判定部が、屋内で検知された第１の閾値以上の騒音が屋外から伝播したものであると判定した場合に、家屋開口電動閉蓋装置を閉状態にさせる閉制御信号を生成し、閉制御信号を家屋開口電動閉蓋装置に送信する。
【発明の効果】
【０００８】
本発明によれば、屋内で検知した騒音と屋外で検知した騒音との特徴および騒音レベルを比較することで、屋内で検知された閾値以上の騒音が屋外から伝播したものか否かを判定可能にし、屋外で発生している騒音が屋内に伝播したものであると判定した場合に、家屋の開口部を電動で閉蓋する家屋開口電動閉蓋装置を閉めることにより、より効果的に屋内の騒音レベルを低減させることができる。
【図面の簡単な説明】
【０００９】
【図１】本発明の実施の形態１に係る制御システムの構成例を示す図である。
【図２】実施の形態１に係る制御装置の機能構成例を示す図である。
【図３】実施の形態１に係る制御処理の動作の一例を示すフローチャートである。
【図４】本発明の実施の形態２に係る制御装置の機能構成例を示す図である。
【図５】実施の形態２に係る制御処理の動作の一例を示すフローチャートである。
【図６】本発明の実施の形態３に係る制御システムの構成例を示す図である。
【図７】実施の形態３に係る制御装置の機能構成例を示す図である。
【図８】実施の形態３に係る機器情報の一例を示す図である。
【図９】実施の形態３に係る制御処理の動作の一例を示すフローチャートである。
【図１０】本発明の実施の形態４に係る制御システムの構成例を示す図である。
【図１１】実施の形態４に係る制御装置の機能構成例を示す図である。
【図１２】実施の形態４に係る制御処理の動作の一例を示すフローチャートである。
【図１３】本発明の実施の形態５に係る制御システムの構成例を示す図である。
【図１４】実施の形態５に係る制御装置の機能構成例を示す図である。
【図１５】実施の形態５に係る機器情報の一例を示す図である。
【図１６】実施の形態５に係る制御処理の動作の一例を示すフローチャートである。
【図１７】本発明の実施の形態に係る制御装置のハードウェア構成の一例を示す図である。
【発明を実施するための形態】
【００１０】
以下に、本発明を実施するための形態について図面を参照して詳細に説明する。なお、図中同一または相当する部分には同じ符号を付す。本実施の形態では、家屋の開口部を電動で閉蓋する家屋開口電動閉蓋装置が電動窓、電動雨戸および電動シャッターである場合を例として説明する。
【００１１】
（実施の形態１）
図１は、本発明の実施の形態１に係る制御システムの構成例を示す図である。制御システム１００は、制御装置１と、屋内騒音センサ２と、屋外騒音センサ３と、電動窓４Ａとで構成される。屋内騒音センサ２、屋外騒音センサ３および電動窓４Ａはそれぞれ、制御装置１に信号線で接続される。ここで、信号線の物理的規格や通信規格は特定の規格に制限されるものではなく、例えばＲＳ−２３２Ｃや、ＵＳＢ（Universal Serial Bus）といった汎用の規格であってもよいし、独自規格のものであってもよい。
【００１２】
屋内騒音センサ２は家屋の屋内に設置されて騒音を検知し、検知した騒音の特徴および騒音レベルを含む屋内騒音情報を制御装置１に送信する。屋外騒音センサ３は家屋の屋外に設置されて屋外の騒音を検知し、検知した騒音の特徴および騒音レベルを含む屋外騒音情報を制御装置１に送信する。騒音の特徴とは、騒音の周波数や騒音の音声データの特徴ベクトルなどである。騒音レベルとは、騒音の大きさを示す指標であって、例えば騒音の音圧レベル（単位はｄＢ）である。騒音レベルは、音圧レベル以外にも時間や頻度などを加味してもよい。なお、屋内騒音情報および屋外騒音情報は、騒音の音声データそのものであってもよい。この場合、制御装置１が騒音の音声データから騒音の特徴や騒音レベルを算出する。
【００１３】
制御装置１は、屋内騒音情報に含まれる騒音レベルが閾値を超えた場合に、屋内騒音情報および屋外騒音情報に基づいて、屋内で検知された閾値以上の騒音が屋外から伝播したものか否かを判定する。屋外から伝播したものと判定した場合には、電動窓４Ａを閉状態にする閉制御信号を生成し、電動窓４Ａに閉制御信号を送信する。電動窓４Ａは、制御装置１から閉制御信号を受信すると、閉状態にする。閾値は、屋内騒音センサ２ごとに異なってもよい。
【００１４】
図１の例では、屋内騒音センサ２、屋外騒音センサ３および電動窓４Ａはそれぞれ１つである。これに限らず、屋内騒音センサ２、屋外騒音センサ３および電動窓４Ａはそれぞれ１つ以上であればよい。また、制御装置１から閉制御信号を受信して閉状態にする家屋開口電動閉蓋装置は電動窓４Ａに限らず、電動雨戸や電動シャッターなどでもよい。以下、制御装置１に接続される電動窓、電動雨戸や電動シャッターなどを総称する場合は、家屋開口電動閉蓋装置４という。
【００１５】
図２は、実施の形態１に係る制御装置の機能構成例を示す図である。制御装置１は、屋内騒音取得部１１と、屋外騒音取得部１２と、騒音判定部１３と、閉制御部１４とを備える。屋内騒音取得部１１は、屋内騒音センサ２から、屋内で検知した騒音の特徴および騒音レベルを含む屋内騒音情報を取得する。屋外騒音取得部１２は、屋外騒音センサ３から、屋外で検知した騒音の特徴および騒音レベルを含む屋外騒音情報を取得する。騒音判定部１３は、屋内騒音情報に含まれる騒音レベルが閾値以上であるか否かを判定する。屋内騒音情報に含まれる騒音レベルが閾値以上であると判定すると、騒音判定部１３は、屋内騒音情報および屋外騒音情報に基づいて、屋内で検知された閾値以上の騒音が屋外から伝播したものか否かを判定する。
【００１６】
屋内で検知された騒音が屋外から伝播したものか否かの判定方法としては、以下のような方法がある。まず、騒音判定部１３は、屋内騒音情報および屋外騒音情報に含まれる騒音の周波数のスペクトル解析を用い、周波数スペクトルが一致した場合に、屋内外の騒音が同じ騒音源であると判定する。または、屋内騒音情報および屋外騒音情報に含まれる騒音の周波数に対して屋内外の差を補正し、屋内外の騒音の周波数帯域が一致した場合に、屋内外の騒音が同じ騒音源であると判定する。あるいは、騒音判定部１３は、屋内騒音情報および屋外騒音情報に含まれる騒音の音声データから特徴ベクトルを抽出してパターンマッチングを行い、屋内外の騒音の特徴ベクトルのパターンが一致した場合に、屋内外の騒音が同じ騒音源であると判定する。
【００１７】
騒音判定部１３は、屋内外の騒音が同じ騒音源であると判定し、かつ屋外騒音情報に含まれる騒音の周波数スペクトルのピーク高さの方が屋内騒音情報のものよりも高ければ、屋内で検知された騒音が屋外から伝播したものであると判定する。あるいは、騒音判定部１３は、屋内外の騒音が同じ騒音源であると判定し、かつ屋外騒音情報に含まれる騒音レベルの方が屋内騒音情報のものよりも高ければ、屋内で検知された騒音が屋外から伝播したものであると判定する。騒音判定部１３が、屋内で検知された閾値以上の騒音が屋外から伝播したものであると判定すると、閉制御部１４は、電動窓４Ａを閉状態にする閉制御信号を生成し、電動窓４Ａに送信する。
【００１８】
屋内騒音情報に含まれる騒音レベルが閾値以上であるという条件は、一瞬の騒音レベルから判断するのではなく、決められた時間（例えば、１分間）屋内騒音情報を取得し続け、継続して、または断続的に閾値以上の騒音レベルが検知されることを条件としてもよい。これにより、瞬間的に発生した騒音により電動窓４Ａを閉めてしまうことを防ぐことができる。
【００１９】
ここでは、屋内騒音情報に対してのみ閾値を設定しているが、屋内騒音情報および屋外騒音情報に対してそれぞれ第１の閾値および第２の閾値を設定してもよい。この場合、例えば、騒音判定部１３は、屋内騒音情報に含まれる騒音レベルが第１の閾値以上であって、かつ屋外騒音情報に含まれる騒音レベルが第２の閾値以上であると判定したときに、屋内で検知された第１の閾値以上の騒音と屋外で検知された第２の閾値以上の騒音とが同じ騒音源であるか否かを判定する。同じ騒音源であると判定した場合、騒音判定部１３は、屋内で検知された第１の閾値以上の騒音は屋外から伝播したものであると判定する。
【００２０】
図３は、実施の形態１に係る制御処理の動作の一例を示すフローチャートである。制御処理は、制御装置１が起動すると開始する。制御装置１の屋内騒音取得部１１および屋外騒音取得部１２は、屋内騒音センサ２および屋外騒音センサ３からそれぞれ屋内騒音情報および屋外騒音情報を取得する（ステップＳ１１）。騒音判定部１３は、屋内騒音情報に含まれる騒音レベルが閾値以上であるか否かを判定する（ステップＳ１２）。騒音レベルが閾値以上でない場合（ステップＳ１２；ＮＯ）、処理はステップＳ１６に移行する。
【００２１】
騒音レベルが閾値以上である場合（ステップＳ１２；ＹＥＳ）、騒音判定部１３は、屋内騒音情報と屋外騒音情報とに含まれる特徴と騒音レベルの比較を行い、屋内で検知された閾値以上の騒音が屋外から伝播したものか否かを判定する（ステップＳ１３）。屋外から伝播したものでない場合（ステップＳ１３；ＮＯ）、処理はステップＳ１６に移行する。屋外から伝播したものである場合（ステップＳ１３；ＹＥＳ）、閉制御部１４は、電動窓４Ａを閉状態にする閉制御信号を生成し（ステップＳ１４）、電動窓４Ａに閉制御信号を送信する（ステップＳ１５）。制御装置１の電源がＯＦＦになっていなければ（ステップＳ１６；ＮＯ）、処理はステップＳ１１に戻り、ステップＳ１１〜ステップＳ１６を繰り返す。制御装置１の電源がＯＦＦになると（ステップＳ１６；ＹＥＳ）、処理を終了する。ステップＳ１２では、騒音レベルが閾値以上の状態が継続して、または断続的に決められた時間が経過したか否かを判定してもよい。
【００２２】
以上説明したように実施の形態１の制御システム１００によれば、屋内で検知した騒音と屋外で検知した騒音との特徴および騒音レベルを比較することで、屋内で検知された閾値以上の騒音が屋外から伝播したものか否かを判定可能にし、屋外から伝播したものであると判定した場合に、家屋の開口部を電動で閉蓋する家屋開口電動閉蓋装置４を閉めることにより、より効果的に屋内の騒音レベルを低減させることができる。
【００２３】
（実施の形態２）
実施の形態２の制御システムは、実施の形態１の制御システム１００と同様の構成である。実施の形態２では、屋内騒音情報および屋外騒音情報に対してそれぞれ第１の閾値および第２の閾値が設定されている。制御装置１は、屋内で検知された第１の閾値以上の騒音が屋外から伝播したものであって、かつ電動窓４Ａが開状態である場合に、電動窓４Ａに閉制御信号を送信する。また、制御装置１は、電動窓４Ａに閉制御信号を送信後、屋外の騒音レベルが第２の閾値未満になったときに、開状態にさせる開制御信号を電動窓４Ａに送信する。
【００２４】
図４は、本発明の実施の形態２に係る制御装置の機能構成例を示す図である。実施の形態２の制御装置１は、実施の形態１の制御装置１の機能構成に加え、開閉検知部１５および開制御部１６を備える。開閉検知部１５は、電動窓４Ａから開閉状態を示す開閉情報を取得する。閉制御部１４は、開閉検知部１５が取得した開閉情報に基づいて電動窓４Ａが開状態であるか否かを判定する。騒音判定部１３は、屋内騒音情報に含まれる騒音レベルが第１の閾値以上であると判定すると、屋内騒音情報および屋外騒音情報に基づいて、屋内で検知された第１の閾値以上の騒音が屋外から伝播したものか否かを判定する。
【００２５】
閉制御部１４は、騒音判定部１３が屋内で検知された第１の閾値以上の騒音が屋外から伝播したものであると判定し、かつ電動窓４Ａが開状態である場合、電動窓４Ａを閉状態にする閉制御信号を生成し、電動窓４Ａに送信する。閉制御部１４は、電動窓４Ａに閉制御信号を送信したことを開制御部１６に通知する。開制御部１６は、閉制御部１４が電動窓４Ａに閉制御信号を送信した後、騒音判定部１３によって屋外騒音情報に含まれる騒音レベルが第２の閾値未満であると判定されると、電動窓４Ａを開状態にさせる開制御信号を生成し、電動窓４Ａに開制御信号を送信する。
【００２６】
家屋開口電動閉蓋装置４が複数ある場合は、閉制御部１４は、開状態である家屋開口電動閉蓋装置４があるか否かを判定し、ある場合には開状態の家屋開口電動閉蓋装置４にのみ閉制御信号を送信する。この場合、閉制御部１４は、閉制御信号を送信した家屋開口電動閉蓋装置４を開制御部１６に通知する。開制御部１６は、閉制御部１４が家屋開口電動閉蓋装置４に閉制御信号を送信した後、騒音判定部１３によって屋外騒音情報に含まれる騒音レベルが第２の閾値未満であると判定されると、家屋開口電動閉蓋装置４を開状態にさせる開制御信号を生成し、閉制御信号を送信した家屋開口電動閉蓋装置４に開制御信号を送信する。電動窓４Ａは、制御装置１から開制御信号を受信すると、開状態に戻す。
【００２７】
屋外騒音情報に含まれる騒音レベルが第２の閾値未満であるという条件は、一瞬の騒音レベルから判断するのではなく、決められた時間（例えば、１分間）屋外騒音情報を取得し続け、その間に第２の閾値以上の騒音レベルが検知されないことを条件としてもよい。これにより、たまたま騒音が止んだ一瞬に電動窓４Ａを開けてしまうことを防ぐことができる。なお、開状態であった電動窓４Ａに閉制御信号を送信した後、電動窓４Ａを閉じたままにしておき、開制御信号を送らない構成にしてもよい。この場合、制御装置１は、開制御部１６を備えなくてもよい。
【００２８】
図５は、実施の形態２に係る制御処理の動作の一例を示すフローチャートである。制御処理は、制御装置１が起動すると開始する。制御装置１の屋内騒音取得部１１および屋外騒音取得部１２は、屋内騒音センサ２および屋外騒音センサ３からそれぞれ屋内騒音情報および屋外騒音情報を取得する（ステップＳ２１）。騒音判定部１３は、屋内騒音情報に含まれる騒音レベルが第１の閾値以上であるか否かを判定する（ステップＳ２２）。騒音レベルが第１の閾値以上でない場合（ステップＳ２２；ＮＯ）、処理はステップＳ３２に移行する。
【００２９】
騒音レベルが第１の閾値以上である場合（ステップＳ２２；ＹＥＳ）、騒音判定部１３は、屋内騒音情報と屋外騒音情報とに含まれる特徴と騒音レベルの比較を行い、屋内で検知された第１の閾値以上の騒音が屋外から伝播したものか否かを判定する（ステップＳ２３）。屋外から伝播したものでない場合（ステップＳ２３；ＮＯ）、処理はステップＳ３２に移行する。屋外から伝播したものである場合（ステップＳ２３；ＹＥＳ）、開閉検知部１５は、電動窓４Ａから開閉状態を示す開閉情報を取得する（ステップＳ２４）。電動窓４Ａが開状態でない場合（ステップＳ２５；ＮＯ）、処理はステップＳ３２に移行する。電動窓４Ａが開状態である場合（ステップＳ２５；ＹＥＳ）、閉制御部１４は、電動窓４Ａを閉状態にする閉制御信号を生成し（ステップＳ２６）、電動窓４Ａに閉制御信号を送信する（ステップＳ２７）。
【００３０】
屋外騒音取得部１２は、屋外騒音センサ３からから屋外騒音情報を取得する（ステップＳ２８）。騒音判定部１３は、屋外騒音情報に含まれる騒音レベルが第２の閾値未満であるか否かを判定する（ステップＳ２９）。騒音レベルが第２の閾値未満でない場合（ステップＳ２９；ＮＯ）、ステップＳ２８に戻り、ステップＳ２８およびステップＳ２９を繰り返して騒音レベルが第２の閾値未満になるのを待機する。騒音レベルが第２の閾値未満になると（ステップＳ２９；ＹＥＳ）、開制御部１６は、電動窓４Ａを開状態にさせる開制御信号を生成し（ステップＳ３０）、電動窓４Ａに開制御信号を送信する（ステップＳ３１）。制御装置１の電源がＯＦＦになっていなければ（ステップＳ３２；ＮＯ）、処理はステップＳ２１に戻り、ステップＳ２１〜ステップＳ３２を繰り返す。制御装置１の電源がＯＦＦになると（ステップＳ３２；ＹＥＳ）、処理を終了する。
【００３１】
ステップＳ２９では、騒音レベルが閾値未満の状態で決められた時間が経過したか否かを判定してもよい。また、騒音レベルが閾値未満になったか否かを判定するステップＳ２８およびステップＳ２９のタイミングは、ステップＳ２７で電動窓４Ａに閉制御信号を送信した後、一定時間経過後であってもよいし、一定時間おきに判定することにしてもよい。
【００３２】
以上説明したように実施の形態２の制御システムによれば、第１の閾値以上の騒音レベルの騒音が屋内で発生している場合に、開状態の家屋開口電動閉蓋装置４にのみ閉制御信号を送信するので、すべての家屋開口電動閉蓋装置４が閉状態であるにもかかわらず閉制御信号を送信してしまう無駄を省くことができる。また、開制御部１６を備える構成では、開状態であった家屋開口電動閉蓋装置４に閉制御信号を送信した後、屋外の騒音レベルが第２の閾値未満の状態になった場合に、閉制御信号を送信した家屋開口電動閉蓋装置４に開制御信号を送信することで元の状態に戻すことができるので、ユーザが家屋開口電動閉蓋装置４を開ける動作をしなくてもよい。
【００３３】
（実施の形態３）
図６は、本発明の実施の形態３に係る制御システムの構成例を示す図である。実施の形態３の制御システム２００は、制御装置１と、屋内騒音センサ２Ａおよび２Ｂ（以下、総称する場合は、屋内騒音センサ２という）と、屋外騒音センサ３Ａおよび３Ｂ（以下、総称する場合は、屋外騒音センサ３という）と、電動窓４Ａ、電動雨戸４Ａ’および電動シャッター４Ｂ（以下、総称する場合は、家屋開口電動閉蓋装置４という）とで構成される。屋内騒音センサ２、屋外騒音センサ３および家屋開口電動閉蓋装置４はそれぞれ、ネットワーク９を介して制御装置１に接続される。ネットワーク９の方式は何でもよく、例えば、ＵＳＢや、特定小電力無線を用いたＨＡＮ（Home Area Network）などがある。
【００３４】
家屋の部屋ａには、屋内の騒音を検知する屋内騒音センサ２Ａと、電動窓４Ａと、電動雨戸４Ａ’とが配置されている。部屋ｂには、屋内の騒音を検知する屋内騒音センサ２Ｂと、電動シャッター４Ｂとが配置されている。屋外の騒音を検知する屋外騒音センサ３Ａおよび３Ｂは、それぞれ部屋ａおよび部屋ｂの家屋開口部に近い屋外に配置されている。屋内騒音センサ２Ａおよび２Ｂは家屋開口部に向けて設置することで、屋外で発生している騒音を精度よく収集できるようにしてもよい。電動窓４Ａおよび電動雨戸４Ａ’は、屋内騒音センサ２Ａおよび屋外騒音センサ３Ａに対応し、電動シャッター４Ｂは、屋内騒音センサ２Ｂおよび屋外騒音センサ３Ｂに対応する。
【００３５】
屋内騒音センサ２はそれぞれ、検知した騒音の特徴および騒音レベルを含む屋内騒音情報を制御装置１に送信する。屋外騒音センサ３はそれぞれ、検知した騒音の特徴および騒音レベルを含む屋外騒音情報を制御装置１に送信する。制御装置１は、屋内騒音情報に含まれる騒音レベルが閾値を超えた場合に、屋内騒音情報および屋外騒音情報に基づいて、屋内で検知された閾値以上の騒音が屋外から伝播したものか否かを判定する。屋外から伝播したものであると判定した場合、制御装置１は、家屋開口電動閉蓋装置４を閉状態にする閉制御信号を生成する。制御装置１は、屋外から伝播したものであるとの判定に用いた屋内騒音情報および屋外騒音情報の送信元の屋内騒音センサ２および屋外騒音センサ３の組み合わせに対応する家屋開口電動閉蓋装置４に閉制御信号を送信する。家屋開口電動閉蓋装置４は、制御装置１から閉制御信号を受信すると、閉状態にする。
【００３６】
屋内騒音センサ２、屋外騒音センサ３および家屋開口電動閉蓋装置４の配置は図６の例に限らず、屋内騒音センサ２、屋外騒音センサ３および家屋開口電動閉蓋装置４がそれぞれ１つ以上であって、１つの屋内騒音センサ２に、１つ以上の屋外騒音センサ３と、１つ以上の家屋開口電動閉蓋装置４が対応付けられていればよい。また、閾値に段階を設けて、閾値ごとに閉制御信号を送信する家屋開口電動閉蓋装置４を変えてもよい。例えば、屋内騒音センサ２Ａの閾値が閾値αと、閾値αよりも大きい閾値βとの２段階である場合、屋内騒音センサ２Ａが検知した騒音レベルが閾値αを超えた場合には電動窓４Ａに閉制御信号を送信し、閾値βを超えた場合にはさらに電動窓雨戸４Ａ’に閉制御信号を送信する。これにより、騒音レベルに合わせて屋外から屋内に伝播する騒音を低減することができる。
【００３７】
図７は、実施の形態３に係る制御装置の機能構成例を示す図である。実施の形態３の制御装置１は、実施の形態１の制御装置１の機能構成に加え、機器情報記憶部１７を備える。機器情報記憶部１７は、屋内騒音センサ２および屋外騒音センサ３と家屋開口電動閉蓋装置４との対応を示す機器情報を記憶する。騒音判定部１３が、屋内騒音情報および屋外騒音情報に基づいて屋内で検知された閾値以上の騒音が屋外から伝播したものであると判定した場合、閉制御部１４は、家屋開口電動閉蓋装置４を閉状態にする閉制御信号を生成する。閉制御部１４は、閉制御信号を生成すると機器情報記憶部１７が記憶する機器情報を参照し、屋外から伝播したものであるとの判定に用いた屋内騒音情報および屋外騒音情報の送信元の屋内騒音センサ２および屋外騒音センサ３の組み合わせに対応する家屋開口電動閉蓋装置４に閉制御信号を送信する。
【００３８】
図８は、実施の形態３に係る機器情報の一例を示す図である。機器情報は、屋内騒音センサ２を識別する「屋内騒音センサ」と、屋外騒音センサ３を識別する「屋外騒音センサ」と、屋内騒音センサ２および屋外騒音センサ３に対応する家屋開口電動閉蓋装置４を識別する「家屋開口電動閉蓋装置」との項目を有する。図８の例では、屋内騒音センサ２Ａおよび屋外騒音センサ３Ａの組み合わせに電動窓４Ａおよび電動雨戸４Ａ’が対応し、屋内騒音センサ２Ｂおよび屋外騒音センサ３Ｂの組み合わせに電動シャッター４Ｂが対応する。
【００３９】
例えば、図７に示す制御装置１の騒音判定部１３が、屋内騒音センサ２Ａから受信した屋内騒音情報に含まれる騒音レベルが閾値以上であると判定し、かつ屋内騒音センサ２Ａから受信した屋内騒音情報および屋外騒音センサ３Ａから受信した屋外騒音情報から、屋内で検知された閾値以上の騒音が屋外から伝播したものであると判定した場合には、閉制御部１４は、このような機器情報を参照し、屋内騒音センサ２Ａおよび屋外騒音センサ３Ａの組み合わせに対応する電動窓４Ａおよび電動雨戸４Ａ’に閉制御信号を送信する。なお、すべての屋内騒音センサ２が屋外騒音センサ３と１対１で対応する場合や、１つの屋内騒音センサ２にどの屋外騒音センサ３を組み合わせても対応する家屋開口電動閉蓋装置４が同じである場合には「屋外騒音センサ」の項目はなくてもよい。
【００４０】
図９は、実施の形態３に係る制御処理の動作の一例を示すフローチャートである。制御処理は、制御装置１が起動すると開始する。制御装置１の屋内騒音取得部１１および屋外騒音取得部１２は、屋内騒音センサ２および屋外騒音センサ３からそれぞれ屋内騒音情報および屋外騒音情報を取得する（ステップＳ４１）。騒音判定部１３は、屋内騒音情報に含まれる騒音レベルが閾値以上の屋内騒音センサ２があるか否かを判定する（ステップＳ４２）。騒音レベルが閾値以上の屋内騒音センサ２がない場合（ステップＳ４２；ＮＯ）、処理はステップＳ４７に移行する。
【００４１】
騒音レベルが閾値以上の屋内騒音センサ２がある場合（ステップＳ４２；ＹＥＳ）、騒音判定部１３は、当該屋内騒音情報と屋外騒音情報とに含まれる特徴と騒音レベルの比較を行い、屋内で検知された閾値以上の騒音が屋外から伝播したものか否かを判定する（ステップＳ４３）。屋外から伝播したものでない場合（ステップＳ４３；ＮＯ）、処理はステップＳ４７に移行する。屋外から伝播したものである場合（ステップＳ４３；ＹＥＳ）、閉制御部１４は、家屋開口電動閉蓋装置４を閉状態にする閉制御信号を生成する（ステップＳ４４）。閉制御部１４は、機器情報記憶部１７が記憶する機器情報を参照し（ステップＳ４５）、ステップＳ４３のＹＥＳ判定に用いた屋内騒音情報および屋外騒音情報の送信元の屋内騒音センサ２および屋外騒音センサ３の組み合わせに対応する家屋開口電動閉蓋装置４に閉制御信号を送信する（ステップＳ４６）。制御装置１の電源がＯＦＦになっていなければ（ステップＳ４７；ＮＯ）、処理はステップＳ４１に戻り、ステップＳ４１〜ステップＳ４７を繰り返す。制御装置１の電源がＯＦＦになると（ステップＳ４７；ＹＥＳ）、処理を終了する。
【００４２】
前述のように、機器情報に「屋外騒音センサ」の項目がない場合には、ステップＳ４６において、閉制御部１４は、騒音レベルが閾値以上の屋内騒音情報の送信元の屋内騒音センサ２に対応する家屋開口電動閉蓋装置４に閉制御信号を送信する。
【００４３】
以上説明したように実施の形態３の制御システム２００によれば、少なくとも騒音レベルが閾値以上の屋内騒音センサ２に対応する家屋開口電動閉蓋装置４にのみ閉制御信号を送信するので、例えば、家屋に複数に部屋がある場合などに部屋ごとの対応ができる。これにより、閾値以上の騒音レベルの騒音を検知していない部屋の家屋開口電動閉蓋装置４が閉状態になることを防ぐことができる。また、１つの屋内騒音センサ２に対して複数の屋外騒音センサ３が対応する場合には、屋内で検知された閾値以上の騒音が屋外から伝播したものであるとの判定に用いた屋内騒音情報および屋外騒音情報の送信元の屋内騒音センサ２および屋外騒音センサ３の組み合わせに対応する家屋開口電動閉蓋装置４にのみ閉制御信号を送信することで、例えば、部屋の複数の方位に家屋開口電動閉蓋装置４がある場合などに部屋の方位ごとの対応ができる。これにより、騒音低減効果の少ない方位の家屋開口電動閉蓋装置４は閉状態しないといった対応が可能になる。
【００４４】
（実施の形態４）
図１０は、本発明の実施の形態４に係る制御システムの構成例を示す図である。実施の形態４の制御システム３００は、制御装置１と、屋内の騒音を検知する屋内騒音センサ２と、屋外の騒音を検知する屋外騒音センサ３と、電動窓４Ａと、電気機器６とで構成される。屋内騒音センサ２、屋外騒音センサ３、電動窓４Ａおよび電気機器６はそれぞれ、ネットワーク９を介して制御装置１に接続される。制御装置１、屋内騒音センサ２、電動窓４Ａおよび電気機器６は屋内に配置され、屋外騒音センサ３は屋外に配置される。実施の形態４では、屋内騒音情報および屋外騒音情報に対してそれぞれ第１の閾値および第２の閾値が設定されている。
【００４５】
屋内騒音センサ２は、検知した騒音の特徴および騒音レベルを含む屋内騒音情報を制御装置１に送信する。屋外騒音センサ３は、検知した騒音の特徴および騒音レベルを含む屋外騒音情報を制御装置１に送信する。制御装置１は、屋内騒音情報に含まれる騒音レベルが第１の閾値を超えた場合に、屋内騒音情報および屋外騒音情報に基づいて、屋内で検知された第１の閾値以上の騒音が屋外から伝播したものか否かを判定する。屋外から伝播したものであると判定した場合、制御装置１は、電動窓４Ａを閉状態にする閉制御信号を生成し、電動窓４Ａに閉制御信号を送信する。電動窓４Ａは、制御装置１から閉制御信号を受信すると、閉状態にする。
【００４６】
電気機器６は、電気機器６の動作状態を示す状態情報を制御装置１に送信する。状態情報は、動作状態を示すデータでもよいし、単純に電源のＯＮ−ＯＦＦを示す信号でもよい。制御装置１は、電動窓４Ａに閉制御信号を送信後、屋外騒音センサ３から受信した騒音情報に含まれる騒音レベルが第２の閾値未満に低下し、かつ電気機器６からの状態情報が特定の状態を示している場合、電動窓４Ａを開状態にする開制御信号を生成し、電動窓４Ａに開制御信号を送信する。電動窓４Ａは、制御装置１から開制御信号を受信すると、開状態にする。電気機器６は、例えば空調機であり、開制御信号を送信する条件となる特定の状態はオフ状態である。この場合、電動窓４Ａの閉制御信号を送信後にユーザが空調機をオンにしていたとすると、電動窓４Ａが開制御されないので、空調により整えられた屋内の空気が屋外に漏れだし、屋外の空気が屋内に流入することを防ぐことができる。
【００４７】
図１１は、本発明の実施の形態４に係る制御装置の機能構成例を示す図である。実施の形態４の制御装置１は、実施の形態２の制御装置１の機能構成に加え、状態情報取得部１８を備える。状態情報取得部１８は、ネットワーク９に接続された電気機器６から動作状態を示す状態情報を取得する。開制御部１６は、状態情報取得部１８が取得した状態情報に基づいて電気機器６が特定の状態であるか否かを判断する。開制御部１６は、閉制御部１４が電動窓４Ａに閉制御信号を送信した後、騒音判定部１３によって屋外騒音情報に含まれる騒音レベルが第２の閾値未満であると判定され、かつ電気機器６が特定の状態である場合、電動窓４Ａを開状態にさせる開制御信号を生成し、電動窓４Ａに開制御信号を送信する。
【００４８】
図１２は、実施の形態４に係る制御処理の動作の一例を示すフローチャートである。制御処理は、制御装置１が起動すると開始する。制御装置１の屋内騒音取得部１１および屋外騒音取得部１２は、屋内騒音センサ２および屋外騒音センサ３からそれぞれ屋内騒音情報および屋外騒音情報を取得する（ステップＳ５１）。騒音判定部１３は、屋内騒音情報に含まれる騒音レベルが第１の閾値以上であるか否かを判定する（ステップＳ５２）。騒音レベルが第１の閾値以上でない場合（ステップＳ５２；ＮＯ）、処理はステップＳ６４に移行する。
【００４９】
騒音レベルが第１の閾値以上である場合（ステップＳ５２；ＹＥＳ）、騒音判定部１３は、屋内騒音情報と屋外騒音情報とに含まれる特徴と騒音レベルの比較を行い、屋内で検知された第１の閾値以上の騒音が屋外から伝播したものか否かを判定する（ステップＳ５３）。屋外から伝播したものでない場合（ステップＳ５３；ＮＯ）、処理はステップＳ６４に移行する。屋外から伝播したものである場合（ステップＳ５３；ＹＥＳ）、開閉検知部１５は、電動窓４Ａから開閉状態を示す開閉情報を取得する（ステップＳ５４）。電動窓４Ａが開状態でない場合（ステップＳ５５；ＮＯ）、処理はステップＳ６４に移行する。電動窓４Ａが開状態である場合（ステップＳ５５；ＹＥＳ）、閉制御部１４は、電動窓４Ａを閉状態にする閉制御信号を生成し（ステップＳ５６）、電動窓４Ａに閉制御信号を送信する（ステップＳ５７）。
【００５０】
屋外騒音取得部１２は、屋外騒音センサ３から屋外騒音情報を取得する（ステップＳ５８）。騒音判定部１３は、屋外騒音情報に含まれる騒音レベルが第２の閾値未満であるか否かを判定する（ステップＳ５９）。騒音レベルが第２の閾値未満でない場合（ステップＳ５９；ＮＯ）、ステップＳ５８に戻り、ステップＳ５８およびステップＳ５９を繰り返して騒音レベルが第２の閾値未満になるのを待機する。騒音レベルが第２の閾値未満になると（ステップＳ５９；ＹＥＳ）、開制御部１６は、電動窓４Ａを開状態にさせる開制御信号を生成する（ステップＳ６０）。
【００５１】
状態情報取得部１８は、電気機器６から状態情報を取得し（ステップＳ６１）、開制御部１６は、電気機器６が特定の状態にあるか否かを判定する（ステップＳ６２）。電気機器６が特定の状態にない場合（ステップＳ６２；ＮＯ）、処理はステップＳ６４に移行する。電気機器６が特定の状態にある場合（ステップＳ６２；ＹＥＳ）、開制御部１６は、電動窓４Ａに開制御信号を送信する（ステップＳ６３）。制御装置１の電源がＯＦＦになっていなければ（ステップＳ６４；ＮＯ）、処理はステップＳ５１に戻り、ステップＳ５１〜ステップＳ６４を繰り返す。制御装置１の電源がＯＦＦになると（ステップＳ６４；ＹＥＳ）、処理を終了する。
【００５２】
電気機器６は、空調機に限らず、空気清浄機や加湿器、音響機器、侵入警報器などでもよい。電気機器６が空気清浄機や加湿器であって、開制御信号を送信する条件となる特定の状態がオフ状態である場合、電動窓４Ａの閉制御信号を送信後にユーザが空気清浄機や加湿器をオンにしていたとすると、電動窓４Ａが開制御されないので、空気清浄機や加湿器により清浄された空気や加湿された空気が屋内の空気が屋外に漏れだし、屋外の空気が屋内に流入することを防ぐことができる。電気機器６が音響機器であって、開制御信号を送信する条件となる特定の状態がオフ状態または決められた音量未満の出力である場合、電動窓４Ａの閉制御信号を送信後に決められた音量以上の音声が出力されているときは電動窓４Ａが開制御されないので、屋内から屋外に漏洩する騒音を低減し、近隣住民との騒音トラブル発生のリスクを抑えることができる。電気機器６が侵入警報器であって、開制御信号を送信する条件となる特定の状態がオフ状態である場合、電動窓４Ａの閉制御信号を送信後にユーザが侵入警報器をオンにしたときは電動窓４Ａが開制御されないので、侵入警報器が、電動窓４Ａが開いたことを感知して警報音を鳴らしてしまう誤作動を防止することができる。
【００５３】
以上説明したように実施の形態４の制御システムによれば、制御装置１と同一のネットワーク９に接続された電気機器６の状態に応じて開制御信号の送信要否を自動的に判別できるので、電動窓４Ａの閉制御後に電気機器６が電動窓４Ａを開制御するのがふさわしくない状態になっている場合に、電動窓４Ａが開制御されるのを防ぐことができる。
【００５４】
（実施の形態５）
図１３は、本発明の実施の形態５に係る制御システムの構成例を示す図である。実施の形態５の制御システム４００は、実施の形態３の制御システム２００の構成に加え、部屋ａに、ネットワーク９に接続する電気機器６を備える。電動窓４Ａおよび電動雨戸４Ａ’は、屋内騒音センサ２Ａおよび屋外騒音センサ３Ａに対応し、電気機器６は、電動窓４Ａおよび電動雨戸４Ａ’に対応する。電動シャッター４Ｂは、屋内騒音センサ２Ｂおよび屋外騒音センサ３Ｂに対応する。実施の形態５の制御装置１は、閉制御信号を電動窓４Ａおよび電動雨戸４Ａ’に送信する場合、電気機器６を制御する機器制御信号を電気機器６に送信する。電気機器６は例えば空調機であり、空調機をオンにする機器制御信号を送信する場合、電動窓４Ａおよび電動雨戸４Ａ’を閉めつつ空調機の電源をオンにすることにより、電動窓４Ａおよび電動雨戸４Ａ’を閉め切ったことにより屋内の温度が上昇し、屋内のユーザが不快に感じる環境となるのを防ぐことができる。
【００５５】
図１４は、本発明の実施の形態５に係る制御装置の機能構成例を示す図である。実施の形態５の制御装置１は、実施の形態３の制御装置１の機能構成に加え、機器制御部１９を備える。機器情報記憶部１７が記憶する機器情報は、屋内騒音センサ２および屋外騒音センサ３と家屋開口電動閉蓋装置４と電気機器６と電気機器６を制御する制御内容との対応を示す。閉制御部１４は、家屋開口電動閉蓋装置４に閉制御信号を送信すると、機器制御部１９に、閉制御信号を送信した家屋開口電動閉蓋装置４を通知する。機器制御部１９は、閉制御部１４から閉制御信号を送信した家屋開口電動閉蓋装置４を通知されると、機器情報を参照し、閉制御信号を送信した家屋開口電動閉蓋装置４に対応する電気機器６に対し、機器制御信号を送信する。
【００５６】
図１５は、実施の形態５に係る機器情報の一例を示す図である。機器情報は、屋内騒音センサ２を識別する「屋内騒音センサ」と、屋外騒音センサ３を識別する「屋外騒音センサ」と、屋内騒音センサ２および屋外騒音センサ３に対応する家屋開口電動閉蓋装置４を識別する「家屋開口電動閉蓋装置」と、家屋開口電動閉蓋装置４に対応する電気機器６を識別する「電気機器」と、電気機器６に対する制御内容である「制御内容」との項目を有する。図１５の例では、屋内騒音センサ２Ａおよび屋外騒音センサ３Ｂに電動窓４Ａおよび電動雨戸４Ａ’が対応し、電動窓４Ａおよび電動雨戸４Ａ’に電気機器６が対応する。電気機器６に対応する制御内容は、電源オンである。屋内騒音センサ２Ｂおよび屋外騒音センサ３Ｂに電動シャッター４Ｂが対応し、電動シャッター４Ｂに対応する電気機器はない。なお、すべての屋内騒音センサ２が屋外騒音センサ３と１対１で対応する場合や、１つの屋内騒音センサ２にどの屋外騒音センサ３を組み合わせても対応する家屋開口電動閉蓋装置４が同じである場合には「屋外騒音センサ」の項目はなくてもよい。
【００５７】
例えば、図１４に示す制御装置１の騒音判定部１３が、屋内騒音センサ２Ａから受信した屋内騒音情報に含まれる騒音レベルが閾値以上であると判定し、かつ屋内騒音センサ２Ａから受信した屋内騒音情報および屋外騒音センサ３Ａから受信した屋外騒音情報に基づいて、屋内で検知された閾値以上の騒音が屋外から伝播したものであると判定した場合、閉制御部１４は、このような機器情報を参照し、屋内騒音センサ２Ａおよび屋外騒音センサ３Ａに対応する電動窓４Ａおよび電動雨戸４Ａ’に閉制御信号を送信し、電気機器６に電源オンの機器制御信号を送信する。
【００５８】
図１６は、実施の形態５に係る制御処理の動作の一例を示すフローチャートである。制御処理は、制御装置１が起動すると開始する。制御装置１の屋内騒音取得部１１および屋外騒音取得部１２は、屋内騒音センサ２および屋外騒音センサ３からそれぞれ屋内騒音情報および屋外騒音情報を取得する（ステップＳ７１）。騒音判定部１３は、屋内騒音情報に含まれる騒音レベルが閾値以上の屋内騒音センサ２があるか否かを判定する（ステップＳ７２）。騒音レベルが閾値以上の屋内騒音センサ２がない場合（ステップＳ７２；ＮＯ）、処理はステップＳ７９に移行する。
【００５９】
騒音レベルが閾値以上の屋内騒音センサ２がある場合（ステップＳ７２；ＹＥＳ）、騒音判定部１３は、当該屋内騒音情報と屋外騒音情報とに含まれる特徴と騒音レベルの比較を行い、屋内で検知された閾値以上の騒音が屋外から伝播したものか否かを判定する（ステップＳ７３）。屋外から伝播したものでない場合（ステップＳ７３；ＮＯ）、処理はステップＳ７９に移行する。屋外から伝播したものである場合（ステップＳ７３；ＹＥＳ）、閉制御部１４は、家屋開口電動閉蓋装置４を閉状態にする閉制御信号を生成する（ステップＳ７４）。閉制御部１４は、機器情報記憶部１７が記憶する機器情報を参照し（ステップＳ７５）、ステップＳ７３のＹＥＳ判定に用いた屋内騒音情報および屋外騒音情報の送信元の屋内騒音センサ２および屋外騒音センサ３の組み合わせに対応する家屋開口電動閉蓋装置４に閉制御信号を送信する（ステップＳ７６）。
【００６０】
続いて、ステップＳ７５で参照した機器情報から、閉制御信号を送信した家屋開口電動閉蓋装置４に対応する電気機器６および、電気機器６に対する制御内容を特定して機器制御信号を生成し（ステップＳ７７）、電気機器６に機器制御信号を送信する（ステップＳ７８）。制御装置１の電源がＯＦＦになっていなければ（ステップＳ７９；ＮＯ）、処理はステップＳ７１に戻り、ステップＳ７１〜ステップＳ７９を繰り返す。制御装置１の電源がＯＦＦになると（ステップＳ７９；ＹＥＳ）、処理を終了する。なお、ステップＳ７７の前に閉制御信号を送信した家屋開口電動閉蓋装置４に対応する電気機器６があるか否かを判定し、電気機器６がない場合には、ステップＳ７７およびステップＳ７８を省略するようにしてもよい。
【００６１】
電気機器６は、空調機に限らず、照明器具や換気扇、空気清浄機などでもよい。電気機器６が照明器具であって、電源をオンにする制御信号や照度を上げる機器制御信号を送信する場合は、電動シャッター４Ｂや電動雨戸４Ａ’などの家屋開口電動閉蓋装置４が自動的に閉鎖されることにより室内の照度が下がるのを防ぐことができる。電気機器６が換気扇や空気清浄機であって、電源をオンにする制御信号を送信する場合は、家屋開口電動閉蓋装置４を閉め切ったことにより屋内の空気が汚れ、屋内のユーザが不快に感じる環境となるのを防ぐことができる。
【００６２】
以上説明したように実施の形態５の制御システム４００によれば、閾値以上の騒音レベルの騒音を検知した屋内騒音センサ２に対応する家屋開口電動閉蓋装置４に閉制御信号を送信しつつ、家屋開口電動閉蓋装置４に対応する電気機器６にも機器制御信号を送信することにより、家屋開口電動閉蓋装置４が閉制御されることで屋内環境が変化するのを防ぐことができる。
【００６３】
図１７は、本発明の実施の形態に係る制御装置のハードウェア構成の一例を示す図である。制御装置１は、それぞれの装置を制御するハードウェア構成としてプロセッサ１０１、メモリ１０２、インターフェース１０３を備える。これらの装置の各機能は、プロセッサ１０１がメモリ１０２に記憶されたプログラムを実行することにより実現される。インターフェース１０３は制御装置１と、屋内騒音センサ２や屋外騒音センサ３、家屋開口電動閉蓋装置４などの構成要素を接続し、通信を確立させるためのものであり、必要に応じて複数の種類のインターフェースから構成されてもよい。図１７では、プロセッサ１０１およびメモリ１０２をそれぞれ１つで構成する例を示しているが、複数のプロセッサ１０１および複数のメモリ１０２が連携して各機能を実行してもよい。
【００６４】
また、上述の機能を、ＯＳ（Operating System）とアプリケーションとの分担、またはＯＳとアプリケーションとの協同により実現する場合等には、ＯＳ以外の部分のみを媒体に格納してもよい。
【００６５】
さらに、搬送波に各プログラムを重畳し、通信ネットワークを介して配信することも可能である。例えば、通信ネットワーク上の掲示板（BBS、Bulletin  Board  System）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【００６６】
上記の制御システム１００、２００、３００および４００の各構成要素が記憶する情報は、ネットワーク上に存在するクラウドサーバで一括管理され、当該構成要素は必要に応じて当該クラウドサーバにアクセスして情報の読み書きを行うようにしてもよい。この場合、当該構成要素は記憶部を備えなくてもよい。
【００６７】
実施の形態１〜５を別々に説明したが、これらを組み合わせてもよい。例えば、実施の形態２の制御装置１が機器情報記憶部１７を備える構成にしてもよい。この場合、閉制御部１４は、機器情報記憶部１７が記憶する機器情報を参照して、屋内で検知された閾値以上の騒音が屋外から伝播したものであるとの判定に用いた屋内騒音情報および屋外騒音情報の送信元の屋内騒音センサ２および屋外騒音センサ３の組み合わせに対応する家屋開口電動閉蓋装置４に閉制御信号を送信する。
【００６８】
実施の形態５の制御装置１が状態情報取得部１８を備える構成にしてもよい。この場合、機器情報記憶部１７が記憶する機器情報は、例えば「制御内容」の項目に電気機器６の状態情報に応じて条件分けした制御内容を含む。部屋に設置された電気機器６の状態に応じた制御内容の機器制御信号を生成して送信することにより、閉制御信号を送信した家屋開口電動閉蓋装置４に対応する電気機器６に対して、より多様な制御を行うことができる。電気機器６が空調機であって制御内容が電源制御の例では、空調機の備える室内温度センサの検出値が２８℃以上の場合にのみ空調機を冷房モードで電源をオンする。これにより、より的確に屋内環境が変化するのを防ぐことができる。また、複数の電気機器６を組み合わせてもよい。例えば、電気機器６が人感センサと空調機であって制御内容が電源制御の例では、人感センサが人を検知した場合にのみ空調機の電源をオンにする。これにより、人がいないのに空調機を稼働する無駄を省くことができる。さらに、機器情報の「制御内容」をユーザが設定すれば、家屋開口電動閉蓋装置４が閉状態になった場合にもユーザの所望する屋内環境を維持するよう電気機器６を制御することが可能になる。
【００６９】
上記の実施の形態では、家屋開口電動閉蓋装置４の閉制御を行う条件として、少なくとも屋内騒音情報に含まれる騒音レベルが閾値以上であるか否かを判定するようにしているが、これに限らず、屋内騒音情報および屋外騒音情報の少なくともいずれかに含まれる騒音の特徴を解析し、特定の種類の騒音が発生していると判定した場合に強制的に家屋開口電動閉蓋装置４の閉制御を行うようにしてもよい。この場合、例えば、雨音を特定の種類の騒音として登録することにより、雨音を検知した場合に自動的に家屋開口電動閉蓋装置４を閉制御することができる。これにより、屋内に雨が吹き込むことを防ぐことができる。この場合は、特定の種類の騒音が検知されなくなったことを、開制御を行う条件とすることが好ましい。
【００７０】
上記の実施の形態では、制御装置１は、屋外から屋内に伝播した騒音の騒音レベルが閾値を超える場合に、家屋開口電動閉蓋装置４を閉めることにより、屋外から屋内に伝播する騒音を低減する。本発明は、これに限らず、屋内から屋外に漏洩した騒音の騒音レベルが閾値を超える場合に、家屋開口電動閉蓋装置４を閉めることにより、屋内から屋外に漏洩した騒音を低減してもよい。これにより、近隣住民との騒音トラブル発生のリスクを抑えることができる。
【符号の説明】
【００７１】
１  制御装置、２，２Ａ，２Ｂ  屋内騒音センサ、３，３Ａ，３Ｂ  屋外騒音センサ、４  家屋開口電動閉蓋装置、４Ａ  電動窓、４Ａ’  電動雨戸、４Ｂ  電動シャッター、６  電気機器、９  ネットワーク、１１  屋内騒音取得部、１２  屋外騒音取得部、１３  騒音判定部、１４  閉制御部、１５  開閉検知部、１６  開制御部、１７  機器情報記憶部、１８  状態情報取得部、１９  機器制御部、１００，２００，３００，４００  制御システム、１０１  プロセッサ、１０２  メモリ、１０３  インターフェース。
【図１】
0006552381.tif 000002
【図２】
0006552381.tif 000003
【図３】
0006552381.tif 000004
【図４】
0006552381.tif 000005
【図５】
0006552381.tif 000006
【図６】
0006552381.tif 000007
【図７】
0006552381.tif 000008
【図８】
0006552381.tif 000009
【図９】
0006552381.tif 000010
【図１０】
0006552381.tif 000011
【図１１】
0006552381.tif 000012
【図１２】
0006552381.tif 000013
【図１３】
0006552381.tif 000014
【図１４】
0006552381.tif 000015
【図１５】
0006552381.tif 000016
【図１６】
0006552381.tif 000017
【図１７】
0006552381.tif 000018